(57)【要約】【課題】運動する場所を限定せずに、各種運動をした場合の消費カロリーの算出を可能にし、通信ネットワーク網を介してサーバに接続しなくても、簡易に消費カロリーを算出することができる携帯式運動量計測装置を提供することを課題とする。【解決手段】運動量の計測を所望する利用者の個別データを入力する入力手段と、検出する体の動きの種類を識別する識別データを受信する受信手段と、体が動いた回数の計数手段と、上記検出する体の動きの開始時間から終了時間までを計測する時間計測手段とを備え、上記識別データに対応した計算式に基づいて消費カロリーを算出し、消費カロリーデータを生成する制御手段と、上記生成された消費カロリーデータを表示する表示手段とを有する携帯式運動量計測装置を提供する。 【選択図】図１
2008295746.tif 000002
【特許請求の範囲】
【請求項１】
体の動きを検出して、動いた回数を計測する携帯式運動量計測装置であって、
運動量の計測を所望する利用者の個別データを入力する入力手段と、運動の種類を識別する識別データを受信する受信手段と、上記運動によって体が動いた回数の計数手段と、上記運動の開始時間から終了時間までを計測する時間計測手段とを備え、上記識別データに対応した計算式に基づいて消費カロリーを算出し、消費カロリーデータを生成する制御手段と、上記生成された消費カロリーデータを表示する表示手段とを有することを特徴とする携帯式運動量計測装置。
【請求項２】
上記計算式は、上記利用者の個別データから抽出する体重と、上記計測した所要時間と、上記運動の種類に対応した体重１ｋｇが１分間に消費するカロリーと、利用者の個別データから抽出する性別・年齢に対応する補正係数と、上記運動の種類に対応して設定されている所要時間内の標準的な体の動きの回数と実際に計数された回数とから算出される調整係数とを乗算したものであることを特徴とする請求項１記載の携帯式運動量計測装置。
【請求項３】
上記受信手段は、上記運動量を計測する運動に使用し、上記体の動きに直接連動する器具に設けられた識別データ記録媒体のデータを読取ることによって受信することを特徴とする請求項１または請求項２記載の携帯式運動量計測装置。
【請求項４】
上記制御手段は、上記各識別データに対応した上記計算式の記憶手段と、上記受信した識別データに対応する計算式を上記記憶手段から読み出して、上記消費カロリーの算出処理を行う計算式の切換処理手段とを備えていることを特徴とする請求項１から請求項３までのいずれかに記載の携帯式運動量計測装置。  
【請求項５】
上記入力手段は、利用者が所望する運動量の計測期間を入力することができ、上記制御手段は、この計測期間の各消費カロリーの算出とともに、累計の消費カロリーの算出手段を備え、上記表示手段は、各消費カロリーデータとともに、この累計の消費カロリーデータも表示することを特徴とする請求項１から請求項４までのいずれかに記載の携帯式運動量計測装置。
【請求項６】
上記入力手段は、利用者によって上記計測期間内の任意の目標消費カロリーを入力することができ、上記制御手段は、上記累計の消費カロリーと目標消費カロリーとから達成率を算出する算出手段を備え、上記表示手段は、目標消費カロリー及び上記達成率を表示することを特徴とする請求項１から請求項５までのいずれかに記載の携帯式運動量計測装置。
【請求項７】
飲食物のカロリーデータ記録媒体から、摂取カロリーデータを読取る摂取カロリー読取手段を備え、上記制御手段は、読取った摂取カロリーを合算する摂取カロリー算出手段と、上記計測期間における消費カロリーの累計と摂取カロリーの累計とを比較し、次の計測期間の目標消費カロリーデータを自動的に算出することを特徴とする請求項１から請求項６までのいずれかに記載の携帯式運動量計測装置。
【請求項８】
上記受信手段に代えて、運動の種類を選択する選択手段を備え、上記利用者が、この選択手段によって運動の種類を選択すると、上記切換処理手段によって選択された種類に対応する消費カロリーの計算式を読み出すことを特徴とする請求項１から請求項７までのいずれかに記載の携帯式運動量計測装置。
【請求項９】
上記運動量を計測する運動に使用し、上記体の動きに直接連動する器具が、上記消費カロリーを算出する手段を備え、上記受信手段は、上記識別データとともに、この算出された消費カロリーデータを受信し、上記制御手段で算出した消費カロリーデータとともに、上記表示手段により表示することを特徴とする請求項１から請求項８までのいずれかに記載の携帯式運動量計測装置。
【請求項１０】
過去の消費カロリーデータを計測期間に対応させて蓄積する蓄積手段を有し、上記利用者が、上記入力手段によって、所望する計測期間を指定すると、指定した計測期間の消費カロリーデータを上記蓄積手段から読み出して、上記表示手段によって表示させることを特徴とする請求項１から請求項９までのいずれかに記載の携帯式運動量計測装置。
【請求項１１】
上記携帯式運動量計測装置との間で相互にデータの転送が可能な情報通信端末と、インターネット網等の通信ネットワーク網を介してこの情報通信端末とデータの送受信が可能な保健指導管理サーバとから構成される運動計測システムであって、
上記携帯式運動計測装置は、上記所定の計測期間の消費カロリーデータと上記利用者の個別データとを上記情報通信端末に転送する転送手段を備え、上記情報通信端末から、上記消費カロリーデータを利用者のＩＤデータとともに、上記通信ネットワーク網を介して上記保健指導管理サーバに送信すると、医師、保健師、管理栄養士等の管理責任者が、受信した上記消費カロリーデータに基づいて、当該利用者の目標消費カロリーデータを設定し、この目標消費カロリーデータを上記保健指導管理サーバから上記ネットワーク通信網を介して、上記情報通信端末に送信し、この情報通信端末から上記携帯式運動量計測装置に転送し、上記表示手段で表示させることを特徴とする運動量計測システム。
【発明の詳細な説明】
【技術分野】
【０００１】
本発明は、体の動きを検出して、動いた回数を計測する携帯式運動量計測装置及び運動量計測システム、特に、上記動いた回数に基づいて消費カロリーを算出する携帯式運動量計測装置及び運動量計測システムに関する。
【背景技術】
【０００２】
いわゆる特定保健指導によれば、従来の個別疾病の早期発見、早期治療だけではなく、内臓脂肪型肥満に着目し、その要因となっている生活習慣を改善するための保健指導を行い、有疾者・予備群を減少させることが目的となっている。特に、科学的根拠に基づく保健指導の徹底が望まれている。
【０００３】
したがって、例えば所定期間内の目標消費カロリーを設定するためには、所定期間内の消費カロリーを算出する必要があるが、日々の運動量から、摂取カロリーとの関係も考慮しつつ、消費カロリーの計算をするためには、一定の専門知識が必要であり、被保健指導対象者にとっては、通常、不可能に近い作業である。また、たとえ計算ができたとしても、日々、消費カロリーを算出して累計値を算出するのは、煩雑であった。
【０００４】
また、全国に支店がある事業所の保健指導は、個々に保健師が地方を訪問し、指導する必要があったが、このような指導方法では時間と費用の負担が大きかった。
【０００５】
このような消費カロリーの算出の利便性を向上させるものとしては、従来、利用者の識別情報と携帯式運動計測器で計測された歩数データ等からなる第１運動データと、当該利用者の上記識別情報とフィットネスクラブに配設された運動機器で計測された運動データからなる第２運動データとを受信して、上記識別情報と対応付けて記憶し、第１運動データと第２運動データとを読み出して上記利用者の装消費カロリーを算出する運動データ管理サーバが提案されていた（例えば、特許文献１参照）。
【０００６】
また、会員を対象として、提携先食堂事業者から摂取カロリーデータと、提携先トレーニングジムで運動した運動量データと、会員が装着している歩数計から歩数データを受信し、これらのデータを比較演算し、データベース登録をすると、上記会員の携帯電話に摂取、消費カロリーデータと現在必要なカロリー値、栄養値及び運動量を送信する個人食生活健康状態管理サーバを有するシステムが提案されていた（例えば、特許文献２）。
【特許文献１】特開２００４−１９２４６７（請求項１の記載）
【特許文献１】特開２００４−２７２４５３（請求項１の記載）
【発明の開示】
【発明が解決しようとする課題】
【０００７】
しかし、従来技術では、特定のフィットネスクラブや提携先トレーニングジムでの運動及び歩行による消費カロリーの算出しかできないため、上記以外の運動の消費カロリーを加算できず、正確な消費カロリーの計測が不可能であるという不都合があった。
【０００８】
また、上記の通り、運動する種目や場所が限定されるため、飽きがきたり、通う煩わしさから、継続して運動することが困難になるという不都合もあった。
【０００９】
さらに、消費カロリーの算出は、運動データ管理サーバや個人食生活健康状態管理サーバが行うため、通信ネットワーク環境下でのみ稼動することを条件としており、そのような環境での機器類の操作に不慣れな利用者にとっては必ずしも利便性が高いものとは言い難いという問題があった。
【００１０】
そこで、本発明は、上記問題点に鑑み、運動する場所を限定せずに、各種運動をした場合の消費カロリーの算出を可能にし、必ずしも、通信ネットワーク網を介してサーバに接続しなくても、簡易に消費カロリーを算出することができる携帯式運動量計測装置を提供することを課題とする。
また、時間と費用の負担を軽減した専門家による目標カロリーデータの提示を可能にする運動量計測システムを提供することを課題とする。
【課題を解決するための手段】
【００１１】
上記課題を解決するため、本発明にかかる携帯式運動量計測装置は、体の動きを検出して、動いた回数を計測する携帯式運動量計測装置であって、運動量の計測を所望する利用者の個別データを入力する入力手段と、運動の種類を識別する識別データを受信する受信手段と、上記運動によって体が動いた回数の計数手段と、上記運動の開始時間から終了時間までを計測する時間計測手段とを備え、上記識別データに対応した計算式に基づいて消費カロリーを算出し、消費カロリーデータを生成する制御手段と、上記生成された消費カロリーデータを表示する表示手段とを有することを特徴とする。
【００１２】
この構成によれば、携帯式運動量計測装置のみで、各種運動を行なった結果消費したカロリーの算出が可能になる。ここで、「運動」とは、上記携帯式運動量計測装置によって計測できる動作であればよく、必ずしも、スポーツに限定されない。したがって、通常の歩行や、掃除など作業なども含まれる。
【００１３】
消費カロリーは、同じ時間運動しても、利用者の体重、性別、年齢や運動の種類（以下「運動種目」という。）によって異なってくる。そこで、上記計算式は、上記利用者の個別データから抽出する体重と、上記計測した所要時間と、上記運動の種類に対応した体重１ｋｇが１分間に消費するカロリーと、利用者の個別データから抽出する性別・年齢に対応する補正係数と、上記運動の種類に対応して設定されている所要時間内の標準的な体の動きの回数と実際に計数された回数とから算出される調整係数とを乗算したものとすればよい。
【００１４】
運動する種類の識別は、予め上記運動量を計測する運動に使用し、上記体の動きに直接連動する器具（以下「運動具等」という。）に設けられた識別データ記録媒体に記憶されたデータを上記受信手段によって読取るようにすればよい。具体的には、テニスラケット、縄跳び、ゴルフクラブなどに、各種類を識別するデータを記録したバーコード、ＱＲコード、ＩＣチップなどの記録媒体を貼付もしくは搭載し、上記受信手段がこれら記録媒体からデータを読取るリーダであればよい。
【００１５】
上記計算式は、運動種目の数に対応しているため、予め上記制御手段で計算式の記憶手段を設け、必要なときに運動種目に対応する計算式を読み出すようにすればよい。この計算式は、上記計算式の記憶手段が、上記識別データに対応させて記憶すればよい。従って、消費カロリーの算出処理は、上記制御手段が、読取られた識別データによって自動的に対応する計算式を上記記憶手段から読み出して、読み出した計算式によって消費カロリーの算出処理を行なうように、計算式の切換処理手段を備えていればよい。
【００１６】
消費カロリーの算出は、１回の運動による消費カロリーを知るためだけではなく、所定期間の総消費カロリーを知るためにも行なう。
【００１７】
そこで、上記入力手段は、利用者が所望する運動量の計測期間を入力することができ、上記制御手段は、この計測期間の各消費カロリーの算出とともに、累計の消費カロリーの算出手段を備え、上記表示手段は、各消費カロリーデータとともに、この累計の消費カロリーデータも表示できるようにすればよい。
【００１８】
さらに、上記入力手段によって、利用者が上記計測期間内の任意の目標消費カロリーを入力することができ、上記制御手段によって、上記累計の消費カロリーと目標消費カロリーとから達成率を算出でき、上記表示手段によって、目標消費カロリー及び上記達成率を表示できるようにしてもよい。
【００１９】
上記目標消費カロリーを設定し、達成率が高くても、摂取カロリーが過剰な場合には、効果的とはいえない。そこで、バーコード、ＱＲコード、ＩＣチップなど飲食物の包装などに貼付され、あるいは搭載されたカロリーデータ記録媒体から、摂取カロリーデータを読取る摂取カロリー読取手段を備え、上記制御手段は、読取った摂取カロリーを合算する摂取カロリー算出手段と、上記計測期間における消費カロリーの累計と摂取カロリーの累計とを比較し、次の計測期間の目標消費カロリーデータを自動的に算出することができるようにしてもよい。
【００２０】
上記運道具等の場合、識別データ記録媒体が設けられたものに限定される。そこで、上記受信手段に代えて、運動種目を選択する選択手段を設け、上記利用者が、この選択手段によって運動種目を選択すると、上記切換処理手段によって自動的に選択された種類に対応する消費カロリーの計算式を読み出すようにすれば、通常の運道具等を使用した場合でも、消費カロリーを算出することができる。
【００２１】
また、上記運道具等が、上記消費カロリーを算出する手段を備え、上記受信手段は、上記識別データとともに、この算出された消費カロリーデータを受信し、上記制御手段で算出した消費カロリーデータとともに、上記表示手段により表示するような構成にしてもよい。
【００２２】
なお、過去の消費カロリーデータを計測期間に対応させて蓄積する蓄積手段を有し、上記利用者が、上記入力手段によって、所望する計測期間を指定すると、指定した計測期間の消費カロリーデータを上記蓄積手段から読み出して、上記表示手段によって表示させるようにしてもよい。
【００２３】
ところで、保健指導は、医師、保健師、管理栄養士等の専門家のアドバイスを受けて目標消費カロリーを設定するのが望ましい。
【００２４】
そこで、本発明にかかる運動量計測システムは、上記携帯式運動量計測装置との間で相互にデータの転送が可能な情報通信端末と、インターネット網等の通信ネットワーク網を介してこの情報通信端末とデータの送受信が可能な保健指導管理サーバとから構成される運動計測システムであって、
上記携帯式運動計測装置は、上記所定の計測期間の消費カロリーデータと上記利用者の個別データとを上記情報通信端末に転送する転送手段を備え、上記情報通信端末から、上記消費カロリーデータを利用者のＩＤデータとともに、上記通信ネットワーク網を介して上記保健指導管理サーバに送信すると、医師、保健師、管理栄養士等の管理責任者が、受信した上記消費カロリーデータに基づいて、当該利用者の目標消費カロリーデータを設定し、この目標消費カロリーデータを上記保健指導管理サーバから上記ネットワーク通信網を介して、上記情報通信端末に送信し、この情報通信端末から上記携帯式運動量計測装置に転送し、上記表示手段で表示させることを特徴とする。
【発明の効果】
【００２５】
以上の説明から明らかなように、本発明にかかる携帯式運動量計測装置は、あらゆる場所で行なわれるあるゆる種類の運動を行なった場合の消費カロリーを算出することができ、従来の装置に比べて、より正確な消費カロリーの算出が実現できるという効果を奏する。
【００２６】
また、消費カロリーの算出を携帯式運動量計測装置自体が実行するため、従来のように、通信ネットワーク網を介してサーバに接続しなくても、簡易に消費カロリーを算出することができるという効果を奏する。
【００２７】
さらに、本発明にかかる運動量計測システムは、自分の実績消費カロリーデータを送信するだけで、携帯式運動量計測装置に専門家が設定した目標消費カロリーを取り込むことができるため、煩わしい目標消費カロリーの算出をしなくても、簡単に、運動の計画を立てることができ、また、指導する側にとっても、保健指導にかかる時間と費用の負担を軽減するという効果を奏する。
【発明を実施するための最良の形態】
【００２８】
図１を参照して、１は、本発明の第１実施形態にかかる携帯式運動量計測装置である。携帯式運動量計測装置１は、受信部１１で、各運動具２に設けられた識別データ記録媒体のデータを受信する。運動具２は、例えば、テニスラケット２ａ、縄跳び２ｂ、ゴルフクラブ２ｃなど、体の動きに直接連動する器具であればよい。上記識別データ記録媒体は、携帯式運動量計測装置１でどの運動具であるかを識別できるデータを上記受信部１１で読取可能な記録媒体、例えば、バーコード、ＱＲコード、ＩＣチップなどであればよい。すなわち、受信部１１は、これらの記録媒体のリーダである。
【００２９】
携帯式運動量計測装置１を体又は体の動きに直接連動する運動具に装着し、体を動かすと、センサ１２が動きを検出して、動いた回数をカウントする。このセンサ１２は、機械的な構造のもののほか、振動を電圧に変換する圧電素子から構成されるもの、さらには、この圧電素子を利用し、人体の上下動を検出する加速度センサであってもよい。
【００３０】
携帯式運動量計測装置１は、運動量の計測の開始時間から終了時間までを計測するため、タイマ１３を備えている。
【００３１】
なお、後述するように、消費カロリーを算出するためには、少なくとも、利用者の年齢、性別、体重データが必要になる。これらのデータの入力は、入力部１４から行なわれる。
【００３２】
運動が終了すると、制御部１５で消費カロリーデータを算出し、算出結果をモニタ１６で表示する。
【００３３】
受信部１１で識別データを受信すると、制御部１５の切換処理部１５１１は、運動種目に対応する消費カロリーの計算式を計算式記憶部１５１２から読み出して、その運動種目に対応した算出を行なうよう制御部１５の処理を切換える。
【００３４】
センサ１２によって検出された体の動きは、制御部１５の回数カウント部１５１３で計数される。また、制御部１５では、所要時間算出部１５１４で、タイマ１３で計測された計測開始時間と終了時間とからを所要時間を算出する。入力部１４から入力された上記個別データは、カロリー計算の基礎となるデータであるため、基礎データ記憶部１５１５に記憶される。
【００３５】
制御部１５の消費カロリー算出部１５１６は、回数カウント部１５１３でカウントされた回数データと、所要時間算出部１５１４で算出された時間データと、基礎データ記憶部１５１５に記憶された利用者の個別データとを計算式記憶部１５１２で読み出された計算式に代入して消費カロリーを算出する。
【００３６】
消費カロリー算出部１５１６は、上記個々の運動量に基づく各消費カロリーの算出のほか、入力部１４から、利用者が入力した運動量計測期間内における消費カロリーの累計を逐次算出することもできる。
【００３７】
また、消費カロリー算出部１５１６は、入力部１４から、利用者が入力した目標消費カロリーと実際に算出された消費カロリーとを比較して、目標に対する達成率を算出することもできる。
【００３８】
消費カロリー算出部１５１６で算出されたデータは、データ蓄積部１５１７に蓄積される。蓄積されたデータは、表示データ生成部１５１８によってデータ蓄積部１５１７から読み出されて、表示用データが生成され、モニタ１６で表示される。
【００３９】
さらに、利用者が入力部１４から所定の過去の計測期間における消費カロリーデータの閲覧を要求すると、その計測期間における消費カロリーデータをデータ蓄積部１５１７から読み出して、表示データ生成部１５１８で表示データが生成され、モニタ１６で表示される。
【００４０】
図２は、本発明にかかる携帯式運動量計測装置の第２実施形態を示したものである。なお、図１の第１実施形態と同じ機能のものについては、同じ符号を付し、詳細な説明は省略する。
【００４１】
第１の実施形態では、運動具２は、識別データ記録媒体が設けられたものでなければならない。第２実施形態にかかる携帯式運動量計測装置１’は、上記受信部１１に代えて、運動種目を選択する選択ボタン１７を備えたものである。利用者は、この選択ボタン１７で自分が運動する種目を選択すると、切換処理部１５１１が、選択した種目に対応する計算式を計算式記憶部１５１２から読み出して、消費カロリーの算出処理を行なう。
【００４２】
この第２実施形態によれば、選択ボタン１７に登録されている運動種目であれば、使用する運動具は限定されず、より気軽に消費カロリーの算出ができる。
【００４３】
なお、選択ボタン１７に登録する運動種目は、入力部１４によって、計算式とともに、追加して登録することができるようにしてもよい。
【００４４】
図３は、本発明にかかる携帯式運動量計測装置の第３実施形態を示したものである。なお、図１の第１実施形態と同じ機能のものについては、同じ符号を付し、詳細な説明は省略する。
【００４５】
第１及び第２実施形態では、携帯式運動量計測装置１及び１’は、専ら運動による消費カロリーの算出のみを行なうものであるが、保健指導を行なう場合は、専門的な見地から目標消費カロリー設定をする必要がある。
【００４６】
そこで、第３実施形態では、携帯式運動量計測装置１”が、飲食物に貼付等されているカロリーデータ記録媒体からカロリーデータを読取る摂取カロリー読取部１８を備え、利用者が入力した運動量計測期間内に読取った摂取カロリーデータの累計を制御部１５の摂取カロリー算出部１５１９で算出し、消費カロリー算出部１５１６で算出された消費カロリーの累計と比較して、目標消費カロリー算出部１５２０で次の運動量計測期間の目標消費カロリーデータを自動的に算出する。
【００４７】
図４は、本発明にかかる携帯式運動量計測装置の第４実施形態を示したものである。第１〜第３実施形態は、携帯式運動量計測装置１乃至１”側で消費カロリーを算出するものであるが、第４実施形態は、運動具２’が、運動具２’自体の動きを検出して、消費カロリーを算出し、算出された消費カロリーデータを運動具２’の識別データとともに、携帯式運動量計測装置１乃至１”に送信するものである。
【００４８】
運動具２’は、消費カロリーの算出に必要な携帯式運動量計測装置１乃至１”の機能を備えていればよい。すなわち、センサ１２に対応するセンサ２１、タイマ１３に対応するタイマ２２、入力部１４に対応する入力部２３、制御部１５に対応する制御部２４を有し、制御部２４は、少なくとも、回数カウント部１５１３に対応する回数カウント部２４１と所要時間算出部１５１４に対応する所要時間算出部２４２と基礎データ記憶部１５１５に対応する基礎データ記憶部２４３と消費カロリー算出部１５１６に対応する消費カロリー算出部２４４とデータ蓄積部１５１７に対応するデータ蓄積部２４５とから構成されている。
【００４９】
なお、利用者の年齢、性別、体重などの個別データは、入力部２４から入力する。また、運動具２’の識別データ及び計算式データは、基礎データ記憶部２４３に予め記憶されている。
【００５０】
データ蓄積部２４５に蓄積されたデータは、送信部２５から携帯式運動量計測装置１乃至１”に転送され、携帯式運動量計測装置１乃至１”で算出された他の消費カロリーデータとともに合算され、累計の消費カロリーデータが算出される。
【００５１】
図５は、計算式データの概念図である。本実施の形態では、消費カロリーの計算式は、（体重）kg×（時間）min×(消費エネルギー単位値)Kcal／kg／min×（補正係数）×（調整係数）
とし、各種類（テニス、縄跳び、ゴルフ）ごとに計算式を対応させている。
【００５２】
消費エネルギー単位値とは、体重１kgが１分間に消費するエネルギーの値（Kcal）をいい、たとえば、テニスであれば、０．１４３７、ゴルフであれば０．０８３５というように、日本体育協会スポーツ科学委員会から公表されている値である。
【００５３】
補正係数とは、年齢、性別により、同じ運動をしても消費カロリーが異なるため、２０歳の男性を１とした場合の補正係数であり、たとえば、４０〜４９歳の男性では、０．９４、４０〜４９歳の女性では、０．８５である。
【００５４】
調整係数とは、同一人物が同じ種目の運動を同じ所要時間行なっても、携帯式運動量計測装置等のセンサで検出され、回数カウント部でカウントされた回数が、異なれば、消費カロリーも異なってくるため、実際にセンサにより検出された回数を予め上記所要時間の標準回数で除算した値をいう。
【００５５】
なお、より正確に消費カロリーを算出するためには、基礎代謝カロリーを算出（図示せず）し、予め加算するようにしてもよい。
【００５６】
また、計算式は、入力部１４から随時追加することにより、消費カロリーを算出できる種目を増やすことができるようにしてもよい。
【００５７】
図６は、基本的な消費カロリーデータ概念図である。この消費カロリーデータは、データ蓄積部１５１７に蓄積されるデータ構成例である。入力する日付ごとに、種類、所要時間、回数、消費カロリー、累計が対応づけられて構成されている。累計は、利用者が入力した運動量計測期間内において、算出された消費カロリーを累計したものであり、本実施の形態では、２００７年５月２５日に３００Kcal消費し、同年５月２６日に３５０Kca消費したので、累計消費カロリーは６５０Kcalであり、同年５月２７日に２００Kcal消費したので、累計消費カロリーは、８５０Kcalである。
【００５８】
図７は、目標消費カロリーと達成率を加えた消費カロリーデータ概念図である。本実施の形態では、利用者が、目標消費カロリーデータを入力した場合に、目標消費カロリーデータを１日ごとに均等に割り当てて、日付ごとに達成率を算出するものとしたが、達成率の算出は、このような方法に限定されるものではなく、たとえば、上記運動量計測期間内で１日ごとの消費カロリーが目標消費カロリーの何％かを表示するようにしてもよい。
【００５９】
図７では、１日当たりの目標消費カロリーが、３００Kcalであり、２００７年５月２５日に３００Kcal消費したため、１００％の達成率であり、同年５月２６日に３５０Kca消費したので、達成率は１０８％であり、同年５月２７日に２００Kcal消費したので、達成率は、９４％であることを示している。
【００６０】
図８は、本発明かかる運動量計測システムの構成ブロック図である。
【００６１】
運動具２ａまたは運動具２ｂから、識別データを受信した携帯式運動量計測装置１ａまたは携帯式運動量計測装置１ｂは、消費カロリーを算出する。算出された消費カロリーから、消費カロリーデータが生成され、携帯式運動量計測装置１ａまたは携帯式運動量計測装置１ｂの利用者の情報通信端末５または６に転送される。この消費カロリーデータの転送は、携帯式運動量計測装置１ａまたは携帯式運動量計測装置１ｂの転送部１５１２から転送される。具体的には、赤外線などの短距離無線通信やＵＳＢメモリスティックなどを利用したデータ転送などを利用すればよい。
【００６２】
利用者は、携帯式運動量計測装置１ａまたは携帯式運動量計測装置１ｂの入力部１４から所定の期間を指定し、その期間内の消費カロリーデータを転送すればよい。
【００６３】
情報通信端末５（パーソナルコンピュータ）または６（携帯電話）は、インターネット網３を介してデータ通信が可能である。情報通信端末５または６の利用者は、予め利用者に付与された利用者のＩＤデータとともに、上記消費カロリーデータをインターネット網３を介して保健指導管理サーバ４に送信する。
【００６４】
保健指導管理サーバ４では、アクセス許可された医師、保健師、管理栄養士等の専門家が、上記消費カロリーデータを送信した利用者の消費カロリーの状況を専門的視点から分析し、目標消費カロリーを算出し、算出された目標消費カロリーから目標消費カロリーデータを設定し、インターネット網３を介して利用者の情報通信端末５または６に送信する。情報通信端末５または６で受信された目標消費カロリーデータは、携帯式運動量計測装置１ａまたは携帯式運動量計測装置１ｂに転送されて、利用者の新たな運動量計測期間の目標値として利用される。
【００６５】
自分の実績の消費カロリーデータを送信するだけで、携帯式運動量計測装置に専門家が設定した目標消費カロリーを取り込むことができるため、煩わしい目標消費カロリーの算出をしなくても、簡単に、運動の計画を立てることができる。また、事業所の支店が全国にある場合、保健指導を保健師等が個々の利用者のために、地方に訪問していたのでは、時間、費用の負担が大きく非効率的であるが、本発明にかかる運動量計測システムを利用すれば、上記のように個々に訪問する必要がないため、効率的な保健指導の実現が可能になる。
【００６６】
上記医師、保健師、管理栄養士等の専門家は、設定した目標消費カロリーデータとともに、専門的なアドバイスなどを付記してもよい。
【００６７】
なお、本実施形態にかかるシステムでは、携帯式運動量計測装置１ａまたは携帯式運動量計測装置１ｂと、情報通信端末５または６は、各々別の装置として構成させているが、たとえば、情報通信端末６の携帯電話は、携帯式運動計測装置機能を兼ね備えたものであってもよい。
【００６８】
また、同一ＩＤを付与される利用者は、１人に限定されるものではなく、家族、友人など、複数人に対して同一ＩＤを付与し、これらの利用者の情報通信端末に全員の実績消費カロリーデータを表示するようにしてもよい。
【００６９】
図９は、本発明にかかる運動量計測システムの基本的な処理フローを示したものである。以下、図１の携帯式運動量計測装置１及び図８の運動量計測システムを参照しながら説明する。
【００７０】
利用者は、まず、携帯式運動量計測装置１の入力部１４から、年齢、性別、体重などの個別データを入力する（Ｓ１）。この個別データは、基礎データ記憶部１５１５に記憶される。次に、計測する運動に利用する運動具２の識別データ記録媒体、たとえば、ＩＣチップなどから、受信部１１で運動具の識別データを受信し（Ｓ２）、切換処理部１５１１で、計算式記憶部１５１２から、上記識別データに対応した計算式を読み出して切換処理を行なう（Ｓ３、Ｓ４）。
【００７１】
運動開始時に、タイマ１３を稼動させ、時間の計測を開始する（Ｓ５）。運動している間の体の動きをセンサ１２で検出し、検出した回数を回数カウント部でカウントする（Ｓ６）。運動の終了とともに、タイマ１３を止めて時間計測を終了させる（Ｓ７）。なお、所要時間算出部１５１４で、タイマ１３が計測した運動開始時間と運動終了時間から、所要時間を算出する。
【００７２】
上記カウントされた回数、算出された所要時間及び記憶された個別データを上記読み出された計算式に代入し、消費カロリー算出部１５１６で消費カロリーを算出する（Ｓ８）。算出された消費カロリーデータは、データ蓄積部１５１７に蓄積される（Ｓ９）。
【００７３】
医師、保健師、管理栄養士等の専門家による目標消費カロリーデータの提示を希望しない場合は（Ｓ１１）、算出データをデータ蓄積部１５１７から読み出して、表示データ生成部１５１８で表示データを生成し（Ｓ１０）、モニタ１６で消費カロリーデータが表示される（Ｓ１９）。
【００７４】
上記専門家による目標消費カロリーデータの提示を希望する場合は（Ｓ１１）、算出データをデータ蓄積部１５１７から読み出して、携帯式運動量計測装置１から利用者の情報通信端末５または６に転送する（Ｓ１２）。さらに、情報通信端末５または６から、インターネット網３を介して保健指導管理サーバ４に算出データを送信する（Ｓ１３）。
【００７５】
保健管理サーバ４は、上記算出データを受信すると（Ｓ１４）、上記専門家が目標消費カロリーデータを設定し（Ｓ１５）、インターネット網３を介して上記情報通信端末５または６に送信する（Ｓ１６）。
【００７６】
上記情報通信端末５または６は、設定された目標消費カロリーデータを受信すると（Ｓ１７）、携帯式運動量計測装置１に転送し（Ｓ１８）、モニタ１６で、消費カロリーデータとともに目標消費カロリーデータが表示される（Ｓ１９）。
【図面の簡単な説明】
【００７７】
【図１】本発明にかかる携帯式運動量計測装置の第１の実施形態を示すブロック図
【図２】本発明にかかる携帯式運動量計測装置の第２の実施形態を示すブロック図
【図３】本発明にかかる携帯式運動量計測装置の第３の実施形態を示すブロック図
【図４】本発明にかかる携帯式運動量計測装置の第４の実施形態を示すブロック図
【図５】計算式データ概念図
【図６】消費カロリーデータ概念図
【図７】目標消費カロリーと達成率を加えた消費カロリーデータ概念図
【図８】本発明かかる運動量計測システムの構成ブロック図
【図９】本発明にかかる運動量計測システムの処理フロー図
【符号の説明】
【００７８】
１    携帯式運動量計測装置
１１  受信部
１２  センサ
１３  タイマ
１４  入力部
１５  制御部
１６  モニタ
２    運動具
３    インターネット網
４    保健指導管理サーバ
【図１】
2008295746.tif 000003
【図２】
2008295746.tif 000004
【図３】
2008295746.tif 000005
【図４】
2008295746.tif 000006
【図５】
2008295746.tif 000007
【図６】
2008295746.tif 000008
【図７】
2008295746.tif 000009
【図８】
2008295746.tif 000010
【図９】
2008295746.tif 000011